(57)【要約】【課題】  集塵フィルタを用いて塵埃等の集塵を行う集塵装置において、作業の円滑化を図るのに有効な技術を提供する。【解決手段】  本発明にかかる集塵装置１００は、ダイオキシン類粉塵を集塵対象としたものであって、プレフィルタユニット１１０、セカンドフィルタユニット１３０、メインフィルタユニット１５０、チャコールフィルタ１７０、ファンユニット１９０を備え、これらのユニットは、ユニット高さ及びユニット幅が互いに合致するとともに、各ユニットがキャリアローラ１０５を介して自立可能であり、且つその自立状態にて載置面上を水平方向に搬送可能とされた構成であり、これによって各ユニットは自立状態にて組み付け及び分割が可能とされる。【選択図】      図１
2007289797.tif 000002
【特許請求の範囲】
【請求項１】
集塵フィルタを収容したフィルタユニットと、
前記フィルタユニットに対し接続手段を介して接続可能とされ、このフィルタユニットに収容された前記集塵フィルタに吸気を流通させる送風ファンを収容した単一の本体ユニットと、を備え、
前記集塵フィルタは、集塵対象の種類に応じて準備された複数の集塵フィルタの中から選択された少なくとも１つの集塵フィルタとして構成され、
前記フィルタユニット及び単一の本体ユニットは、ユニット高さ及びユニット幅が互いに合致するとともに、各ユニットが少なくとも３つの同平面上のキャリアローラを介して自立可能であり、且つその自立状態にて載置面上を水平方向に搬送可能とされた構成であり、
これによって、前記フィルタユニット及び単一の本体ユニットが、前記キャリアローラによる自立状態にてユニット幅が合致するように配列された上で前記接続手段を介して接続され互いに組み付けられた組み付けモードと、前記接続手段による接続が解除された上で、前記フィルタユニット及び単一の本体ユニットが、前記キャリアローラによる自立状態にて互いに分割された分割モードを形成可能とされた構成であることを特徴とする集塵装置。
【請求項２】
請求項１に記載の集塵装置であって、
前記フィルタユニットは、前記集塵フィルタを収容した複数の分割ユニットの中から集塵対象の種類に応じて選択された所定数の分割ユニットが組み付けられる組み替え構造とされ、また各分割ユニットは、ユニット高さ及びユニット幅が前記単一の本体ユニットと合致するとともに、各分割ユニットが少なくとも３つの同平面上のキャリアローラを介して自立可能であり、且つその自立状態にて載置面上を水平方向に搬送可能とされた構成であることを特徴とする集塵装置。
【請求項３】
請求項２に記載の集塵装置であって、
前記集塵フィルタは、ダイオキシン類粉塵を集塵対象として準備されたパームフィルタ、中性能フィルタ、高性能フィルタ、活性炭フィルタを用いて構成され、
前記フィルタユニットは、複数の分割ユニットから選択された所定数の分割ユニットとして、前記パームフィルタを収容した第１分割ユニット、前記中性能フィルタを収容した第２分割ユニット、前記高性能フィルタを収容した第３分割ユニット、前記活性炭フィルタを収容した第４分割ユニットを備え、
前記第１〜第４分割ユニットは、ユニット高さ及びユニット幅が互いに合致するとともに、各分割ユニットが少なくとも３つの同平面上のキャリアローラを介して自立可能であり、且つその自立状態にて載置面上を水平方向に搬送可能とされた構成であり、
前記組み付けモードでは、フィルタ処理に関する上流側から順に、前記第１分割ユニット、前記第２分割ユニット、前記第３分割ユニット、前記第４分割ユニットが、前記キャリアローラによる自立状態にてユニット幅が合致するように配列された上で接続されるとともに、前記第４分割ユニットの下流側に前記単一の本体ユニットが接続される一方、
前記分割モードでは、前記第１〜第４分割ユニットの各分割ユニットが、前記キャリアローラによる自立状態にて互いに分割されるとともに、前記第４分割ユニット及び前記単一の本体ユニットが分割される構成であることを特徴とする集塵装置。
ることを特徴とする集塵装置。
【請求項４】
請求項２に記載の集塵装置であって、
前記集塵フィルタは、アスベスト粉塵を集塵対象として準備されたパームフィルタ、中性能フィルタ、高性能フィルタを用いて構成され、
前記フィルタユニットは、複数の分割ユニットから選択された所定数の分割ユニットとして、前記パームフィルタを収容した第１分割ユニット、前記中性能フィルタを収容した第２分割ユニット、前記高性能フィルタを収容した第３分割ユニットを備え、
前記第１〜第３分割ユニットは、ユニット高さ及びユニット幅が互いに合致するとともに、各分割ユニットが少なくとも３つの同平面上のキャリアローラを介して自立可能であり、且つその自立状態にて載置面上を水平方向に搬送可能とされた構成であり、
前記組み付けモードでは、フィルタ処理に関する上流側から順に、前記第１分割ユニット、前記第２分割ユニット、前記第３分割ユニットが、前記キャリアローラによる自立状態にてユニット幅が合致するように配列された上で接続されるとともに、前記第３分割ユニットの下流側に前記単一の本体ユニットが接続される一方、
前記分割モードでは、前記第１〜第３分割ユニットの各分割ユニットが、前記キャリアローラによる自立状態にて互いに分割されるとともに、前記第３分割ユニット及び前記単一の本体ユニットが分割される構成であることを特徴とする集塵装置。
【請求項５】
請求項２に記載の集塵装置であって、
前記集塵フィルタは、塗装ミストを集塵対象として準備されたパームフィルタ及び中性能フィルタを用いて構成され、
前記フィルタユニットは、複数の分割ユニットから選択された所定数の分割ユニットとして、前記パームフィルタを収容した第１分割ユニット、前記中性能フィルタを収容した第２分割ユニットを備え、
前記第１及び第２分割ユニットは、ユニット高さ及びユニット幅が互いに合致するとともに、各分割ユニットが少なくとも３つの同平面上のキャリアローラを介して自立可能であり、且つその自立状態にて載置面上を水平方向に搬送可能とされた構成であり、
前記組み付けモードでは、フィルタ処理に関する上流側から順に、前記第１分割ユニット、前記第２分割ユニットが、前記キャリアローラによる自立状態にてユニット幅が合致するように配列された上で接続されるとともに、前記第２分割ユニットの下流側に前記単一の本体ユニットが接続される一方、
前記分割モードでは、前記第１及び第２分割ユニットの各分割ユニットが、前記キャリアローラによる自立状態にて互いに分割されるとともに、前記第２分割ユニット及び前記単一の本体ユニットが分割される構成であることを特徴とする集塵装置。
【請求項６】
請求項２〜５のうちのいずれか１項に記載の集塵装置であって、
前記分割ユニットは、当該分割ユニットに収容している前記集塵フィルタに吸気が流通する流通経路方向に開口部を有する枠形状とされ、前記組み付けモードにおいては、別のユニットとの接続によって前記開口部がユニット外部に対し閉鎖される一方、前記分割モードにおいては、別のユニットとの分割によって当該分割ユニットに収容している前記集塵フィルタが前記開口部を通じてユニット外部に露出する構成であることを特徴とする集塵装置。
【発明の詳細な説明】
【技術分野】
【０００１】
本発明は、各種の塵埃等の集塵対象の集塵にかかり、詳しくは高濃度粉塵、化学物質粉塵、ダイオキシン類粉塵、アスベスト粉塵、塗装ミスト等の捕集や、悪臭ガス成分及び有毒ガス成分等の除去を目的として使用される集塵装置の構築技術に関する。
【背景技術】
【０００２】
近年、種々の労働環境規制や作業環境対策に関する動きが高まるなか、高濃度粉塵、化学物質粉塵、可燃性粉塵、ダイオキシン類粉塵、アスベスト粉塵（石綿）をはじめ、ミストやガス等、人体に影響を及ぼす塵埃等が存在する環境下での作業を伴う産業においては、その作業環境向上を図る施策が重要課題として掲げられている。具体的には、ダイオキシン類を含有する焼却灰等が付着した焼却炉を撤去する作業に関し、焼却灰等が剥離する際に発生するダイオキシン類粉塵の大気中への飛散に適切に対処する方法が望まれている。また、断熱材や絶縁材としてアスベスト（石綿）が使用されていた過去の建築物を解体する作業に関し、この解体作業時におけるアスベスト粉塵の飛散に適切に対処する方法が望まれている。
【０００３】
そこで、この種の作業において粉塵の外部への飛散防止により作業環境向上を図るべく、例えば下記文献１に記載の集塵装置のように、集塵対象を含む外気を集塵フィルタに通過させることによって集塵を行う方法を用いることが可能である。集塵フィルタを用いるこのような方法は、塵埃等の効果的な集塵を行う可能性を有するが、この種の集塵装置の設計にあたっては、塵埃等に対する集塵性能を確保するのみならず、更に集塵作業やフィルタ清掃作業といった作業全般の負荷を軽減することによって作業の円滑化を図る構成を実現する要請が高い。
【特許文献１】特開平７−３２８３６７号公報
【発明の開示】
【発明が解決しようとする課題】
【０００４】
そこで本発明は、かかる点に鑑みてなされたものであり、集塵フィルタを用いて塵埃等の集塵を行う集塵装置において、作業の円滑化を図るのに有効な技術を提供することを課題とする。
【課題を解決するための手段】
【０００５】
前記課題を解決するために、各請求項に記載の発明が構成される。なお、本発明における集塵装置によって集塵処理（捕集ないし除去処理）がなされる塵埃等には、高濃度粉塵、化学物質粉塵、ダイオキシン類粉塵、アスベスト粉塵、塗装ミスト、悪臭ガス成分及び有毒ガス成分等、各種の塵埃等が包含される。
【０００６】
（本発明の第１発明）
前記課題を解決する本発明の第１発明は、請求項１に記載されたとおりの集塵装置である。請求項１に記載のこの集塵装置は、フィルタユニット及び単一のフィルタユニットを少なくとも備える。
本発明のフィルタユニットは、集塵フィルタを収容したユニットとして構成とされる。
本発明では、この集塵フィルタは、集塵対象の種類に応じて準備された複数の集塵フィルタの中から選択された少なくとも１つの集塵フィルタとして構成される。本発明では、フィルタユニットは、１または複数の集塵フィルタを収容した単一のフィルタユニットとして構成されてもよいし、或いは１または複数の集塵フィルタを収容した複数のフィルタユニットを組み合わせて構成されてもよい。
本発明の単一の本体ユニットは、本発明のフィルタユニットに対し接続手段を介して接続可能とされ、このフィルタユニットに収容された集塵フィルタに吸気を流通させる送風ファンを収容した単一のユニットとして構成される。
【０００７】
また、本発明では、フィルタユニット及び単一の本体ユニットは、ユニット高さ及びユニット幅が互いに合致するとともに、各ユニットが少なくとも３つの同平面上のキャリアローラを介して自立可能であり、且つその自立状態にて載置面上を水平方向に搬送可能とされた構成とされている。これによって、フィルタユニット及び単一の本体ユニットの接続に関し、組み付けモードと分割モードが少なくとも形成可能とされる。組み付けモードは、フィルタユニット及び単一の本体ユニットが、キャリアローラによる自立状態にてユニット幅が合致するように配列された上で接続手段を介して接続され互いに組み付けられた状態として規定される。一方、分割モードは、接続手段による接続が解除された上で、フィルタユニット及び単一の本体ユニットが、キャリアローラによる自立状態にて互いに分割された状態として規定される。
【０００８】
請求項１に記載の発明によれば、集塵装置を使用する際の作業の円滑化を図ることが可能となる。具体的には、分割モードにおいて分割されたユニットが軽量化されるとともに、当該ユニットがキャリアローラを介して搬送可能とされるため、分割や接続に関する作業を簡単且つ短時間で行うことができ、従って当該作業を軽減することが可能となる。また、各ユニットを小口化することによって、トラックなどの運送手段にかかる運送費用の軽減を図ることが可能となる。更に、フィルタユニット及び単一の本体ユニットは、ユニット高さ及びユニット幅が互いに合致する構成であるため、とりわけ設置場所が狭小地であったり、設置場所までの搬送経路が狭小地であるような場合において、ユニットの組み付け作業及び分割作業を円滑に行うことが可能となる。特に、高さ方向及び幅方向のスペースさえ確保されれば、広さが限られた設置現場においても、各ユニットを水平方向に移動させて組み立て及び分割を行うことができ省スペースでの作業が可能となる。
【０００９】
（本発明の第２発明）
前記課題を解決する本発明の第２発明は、請求項２に記載されたとおりの集塵装置である。請求項２に記載のこの集塵装置では、請求項１に記載のフィルタユニットは、集塵フィルタを収容した複数の分割ユニットの中から集塵対象の種類に応じて選択された所定数の分割ユニットが組み付けられる組み替え構造とされる。また、各分割ユニットは、ユニット高さ及びユニット幅が単一の本体ユニットと合致するとともに、各分割ユニットが少なくとも３つの同平面上のキャリアローラを介して自立可能であり、且つその自立状態にて載置面上を水平方向に搬送可能とされた構成である。
【００１０】
従って、請求項２に記載の発明によれば、各種の集塵対象に応じて分割ユニットを組み替えてフィルタユニットを形成し、このフィルタユニットに対し単一の本体ユニットを接続することが可能となる。従って、各種の集塵対象に対応可能な汎用性の高い集塵装置を提供することが可能となる。また、組み替えに関し、各分割ユニットは、ユニット高さ及びユニット幅が互いに合致するとともに、各分割ユニットがキャリアローラを介して自立可能であり、且つその自立状態にて載置面上を水平方向に搬送可能とされた構成であるため、組み替え作業が容易とされる。
【００１１】
（本発明の第３発明）
前記課題を解決する本発明の第３発明は、請求項３に記載されたとおりの集塵装置である。請求項３に記載のこの集塵装置では、請求項２に記載の集塵フィルタは、ダイオキシン類粉塵を集塵対象として準備されたパームフィルタ、中性能フィルタ、高性能フィルタ、活性炭フィルタを用いて構成される。ここでいうパームフィルタは、天然素材であるやしの実繊維によって構成されるフィルタとされる。また、中性能フィルタは、例えば粒子径が１〜１０μｍ程度の粒子（「中粒子」ともいう）からなる塵埃を除去する機能を有するフィルタとされる。また、高性能フィルタは、例えば粒子径が１μｍ以下程度の粒子（「微粒子」ともいう）からなる塵埃を除去する機能を有するフィルタとされる。活性炭フィルタは、ガスに対し吸着性能を有する粒状活性炭或いは繊維状活性炭が充填されたフィルタとして構成される。
【００１２】
また、本発明において請求項２に記載のフィルタユニットは、複数の分割ユニットから選択された所定数の分割ユニットとして、パームフィルタを収容した第１分割ユニット、中性能フィルタを収容した第２分割ユニット、高性能フィルタを収容した第３分割ユニット、活性炭フィルタを収容した第４分割ユニットを備える。これらの第１〜第４分割ユニットは、ユニット高さ及びユニット幅が互いに合致するとともに、各分割ユニットが少なくとも３つの同平面上のキャリアローラを介して自立可能であり、且つその自立状態にて載置面上を水平方向に搬送可能とされた構成とされる。
【００１３】
本発明において、組み付けモードでは、フィルタ処理に関する上流側から順に、第１分割ユニット、第２分割ユニット、第３分割ユニット、第４分割ユニットが、キャリアローラによる自立状態にてユニット幅が合致するように配列された上で接続されるとともに、第４分割ユニットの下流側に単一の本体ユニットが接続される。一方、分割モードでは、第１〜第４分割ユニットの各分割ユニットが、キャリアローラによる自立状態にて互いに分割されるとともに、第４分割ユニット及び単一の本体ユニットが分割される。
【００１４】
請求項３に記載の発明によれば、フィルタユニットを第１〜第４分割ユニットを用いて構成することによって、ダイオキシン類粉塵を集塵対象としてフィルタ処理するのに効果的な集塵能力の高い集塵システムが提供される。
【００１５】
（本発明の第４発明）
前記課題を解決する本発明の第４発明は、請求項４に記載されたとおりの集塵装置である。請求項４に記載のこの集塵装置では、請求項２に記載の集塵フィルタは、アスベスト粉塵を集塵対象として準備されたパームフィルタ、中性能フィルタ、高性能フィルタを用いて構成される。これら各フィルタは、請求項３に記載の集塵装置における構成要素であるフィルタと実質的に同様の構成を有する。
【００１６】
また、本発明において請求項２に記載のフィルタユニットは、複数の分割ユニットから選択された所定数の分割ユニットとして、パームフィルタを収容した第１分割ユニット、中性能フィルタを収容した第２分割ユニット、高性能フィルタを収容した第３分割ユニットを備える。第１〜第３分割ユニットは、ユニット高さ及びユニット幅が互いに合致するとともに、各分割ユニットが少なくとも３つの同平面上のキャリアローラを介して自立可能であり、且つその自立状態にて載置面上を水平方向に搬送可能とされた構成とされる。これら第１〜第３分割ユニットは、請求項３に記載の集塵装置における構成要素である第１〜第３分割ユニットと実質的に同様の構成を有する。従って、請求項３に記載の集塵装置の分割ユニットを組み替えることによって、本発明の集塵装置を構築することもできる。
【００１７】
本発明において、組み付けモードでは、フィルタ処理に関する上流側から順に、第１分割ユニット、第２分割ユニット、第３分割ユニットが、キャリアローラによる自立状態にてユニット幅が合致するように配列された上で接続されるとともに、第３分割ユニットの下流側に単一の本体ユニットが接続される。一方、分割モードでは、第１〜第３分割ユニットの各分割ユニットが、キャリアローラによる自立状態にて互いに分割されるとともに、第３分割ユニット及び単一の本体ユニットが分割される。
【００１８】
請求項４に記載の発明によれば、フィルタユニットを第１〜第３分割ユニットを用いて構成することによって、アスベスト粉塵を集塵対象としてフィルタ処理するのに効果的な集塵能力の高い集塵システムが提供される。
【００１９】
（本発明の第５発明）
前記課題を解決する本発明の第５発明は、請求項５に記載されたとおりの集塵装置である。請求項５に記載のこの集塵装置では、請求項２に記載の集塵フィルタは、塗装ミストを集塵対象として準備されたパームフィルタ及び中性能フィルタを用いて構成される。これら各フィルタは、請求項３に記載の集塵装置における構成要素であるフィルタと実質的に同様の構成を有する。
【００２０】
また、本発明において請求項２に記載のフィルタユニットは、複数の分割ユニットから選択された所定数の分割ユニットとして、パームフィルタを収容した第１分割ユニット、中性能フィルタを収容した第２分割ユニットを備える。第１及び第２分割ユニットは、ユニット高さ及びユニット幅が互いに合致するとともに、各分割ユニットが少なくとも３つの同平面上のキャリアローラを介して自立可能であり、且つその自立状態にて載置面上を水平方向に搬送可能とされた構成とされる。これら第１及び第２分割ユニットは、請求項３或いは請求項４に記載の集塵装置における構成要素である第１及び第２分割ユニットと実質的に同様の構成を有する。従って、請求項３或いは請求項４に記載の集塵装置の分割ユニットを組み替えることによって、本発明の集塵装置を構築することもできる。
【００２１】
本発明において、組み付けモードでは、フィルタ処理に関する上流側から順に、第１分割ユニット及び第２分割ユニットが、キャリアローラによる自立状態にてユニット幅が合致するように配列された上で接続されるとともに、第２分割ユニットの下流側に単一の本体ユニットが接続される。一方、分割モードでは、第１及び第２分割ユニットの各分割ユニットが、キャリアローラによる自立状態にて互いに分割されるとともに、第２分割ユニット及び単一の本体ユニットが分割される。
【００２２】
請求項５に記載の発明によれば、フィルタユニットを第１及び第３分割ユニットを用いて構成することによって、塗装ミストを集塵対象としてフィルタ処理するのに効果的な集塵能力の高い集塵システムが提供される。
【００２３】
（本発明の第６発明）
前記課題を解決する本発明の第６発明は、請求項６に記載されたとおりの集塵装置である。請求項６に記載のこの集塵装置では、請求項２から請求項５のうちのいずれか１項に記載の分割ユニットは、当該分割ユニットに収容している集塵フィルタに吸気が流通する流通経路方向に開口部を有する枠形状とされ、組み付けモードにおいては、別のユニットとの接続によって開口部がユニット外部に対し閉鎖される構成とされる。一方、分割モードにおいては、別のユニットとの分割によって当該分割ユニットに収容している集塵フィルタが開口部を通じてユニット外部に露出する構成とされる。なお、ここでいう別のユニットは、所定の分割ユニットに対する別の分割ユニットであってもよいし、或いは単一の本体ユニットであってもよい。
【００２４】
従って、請求項６に記載の発明によれば、別のユニットとの分割によって、集塵フィルタが開口部を通じてユニット外部に露出するため、開口部を通じて内部点検作業やフィルタ交換作業を容易に行うことが可能となる。また、分割モードにおいて、集塵フィルタに対し清掃用のエアーノズル等を、開口部を通じて容易に作用させることが可能となる。これにより、集塵フィルタの清掃作業に関し、所定の分割ユニットから集塵フィルタを取り出すことなく、円滑且つ迅速に清掃作業を行うことが可能となる。
とりわけ、ダイオキシン類粉塵やアスベスト粉塵を取り扱う集塵装置にあっては、ダイオキシン類ばく露防止対策要綱や石綿障害予防規則に基づいて、一旦集塵フィルタに付着した付着物を除去した後でなければ使用後の集塵装置の持ち出しが禁止されており、集塵フィルタの清掃作業を作業場にて行う要請がある。そこで、本発明の構成を採用することによって、集塵フィルタ取外しや装置内の清掃作業を作業場にて円滑且つ迅速に行うことができるところ、本発明の構成は、ダイオキシン類粉塵やアスベスト粉塵を取り扱う集塵装置において特に効果的とされる。
【発明の効果】
【００２５】
以上のように、本発明によれば、集塵フィルタを用いて塵埃等の集塵を行う集塵装置において、作業の円滑化を図ることが可能となった。
【発明を実施するための最良の形態】
【００２６】
以下に、本発明の集塵装置の実施形態を図面を参照しつつ詳細に説明する。なお、本実施の形態は、本発明の集塵装置の好ましい実施の形態を示すものであって、これにより本発明が制限されるものではない。この集塵装置によって集塵される塵埃等には、高濃度粉塵、化学物質粉塵、ダイオキシン類粉塵、アスベスト粉塵、塗装ミスト、悪臭ガス成分及び有毒ガス成分等、各種の塵埃等が包含される。
【００２７】
図１は、本実施の形態の集塵装置１００の概略構成を示す側面図であり、図２は、図１中の集塵装置１００の平面図である。
図１及び図２に示すこの集塵装置１００は、典型的にはダイオキシン類粉塵（ダイオキシン類を含有する焼却灰等）が付着した焼却炉を撤去する作業において好適に用いられる集塵装置である。この集塵装置１００は、塵埃等であるダイオキシン類粉塵を捕集・除去する装置であり、「塵埃捕集装置」或いは「塵埃除去装置」と称呼することもできる。また、この集塵装置１００は、粉塵の外部への飛散防止を図るべく装置内を負圧条件とする装置であり、作業場の「負圧機」とも称呼される。この集塵装置１００は、フィルタ処理に関する上流から順に、プレフィルタユニット１１０、セカンドフィルタユニット１３０、メインフィルタユニット１５０、チャコールフィルタユニット１７０が配置され、更にチャコールフィルタユニット１７０の下流側にファンユニット１９０が配置される構成になっている。すなわち、本実施の形態の集塵装置１００では、プレフィルタユニット１１０、セカンドフィルタユニット１３０、メインフィルタユニット１５０、チャコールフィルタユニット１７０の計４種類のフィルタユニットが組み付けられたフィルタユニット組み付け体が用いられている。当該フィルタユニット組み付け体が、本発明における「フィルタユニット」に相当し、当該フィルタユニット組み付け体を構成する各フィルタユニットが、本発明における「分割ユニット」に相当する。
【００２８】
プレフィルタユニット１１０は、そのユニットハウジング１１０ａ内の吸気流通経路上にプレフィルタ１１１を収容したフィルタユニットとして構成される。プレフィルタ１１１は、後述するメインフィルタ１５１の前処理としての機能を有するフィルタとされ、例えば粒子径が１０μｍ程度以上の粒子（「粗粒子」ともいう）や、比較的大きな塵埃、例えば綿ほこりや塗装ミストなどを除去する機能を有する。このプレフィルタ１１１として、好ましくは、天然素材であるやしの実繊維によって構成されるフィルタ、いわゆる「パームフィルタ」と称呼されるフィルタを用いることができる。このプレフィルタ１１１は、「天然繊維フィルタ」或いは「粗粒子フィルタ」とも称呼される。ここでいうプレフィルタユニット１１０が、本発明における「第１分割ユニット」に相当し、このプレフィルタユニット１１０に収容されたプレフィルタ１１１が、本発明における「集塵フィルタ」及び「パームフィルタ」に相当する。
【００２９】
また、このプレフィルタユニット１１０の上流側には、吸引ダクト１０２を有する吸引ダクトパネル１０１が装着されるように構成されている。この吸引ダクト１０２は、その吸入部分がダイオキシン類粉塵の発生源に向けて配置される。これにより、この吸引ダクト１０２の吸入部分からダイオキシン類粉塵を含む空気が吸い込まれて、当該空気がプレフィルタユニット１１０内の吸気流通経路に導入される。この吸引ダクト１０２は、その吸入部分をダイオキシン類粉塵の発生源に容易に近づけることが可能な構成として、硬質フレキシダクトとして構成されるのが好ましい。
【００３０】
セカンドフィルタユニット１３０は、そのユニットハウジング１３０ａ内の吸気流通経路上にセカンドフィルタ１３１を収容したフィルタユニットとして構成される。セカンドフィルタ１３１は、プレフィルタユニット１１０と同様に、後述するメインフィルタ１５１の前処理としての集塵機能を有するフィルタとされ、プレフィルタ１１１によって除去されない大きさの粒子、例えば粒子径が１〜１０μｍ程度の粒子（「中粒子」ともいう）からなる塵埃を除去する機能を有する。従って、このセカンドフィルタ１３１は、プレフィルタユニット１１０と同様に、メインフィルタ１５１に対する「プレフィルタ」とも称呼される。このセカンドフィルタユニット１３０として、好ましくは、グラスファイバー及び不織布を組み合わせて構成されるフィルタ、いわゆる「中性能フィルタ」と称呼されるフィルタを用いることができる。ここでいうセカンドフィルタユニット１３０が、本発明における「第２分割ユニット」に相当し、このセカンドフィルタユニット１３０に収容されたセカンドフィルタ１３１が、本発明における「集塵フィルタ」及び「中性能フィルタ」に相当する。
【００３１】
メインフィルタユニット１５０は、そのユニットハウジング１５０ａ内の吸気流通経路上にメインフィルタ１５１を収容したフィルタユニットとして構成される。メインフィルタ１５１は、セカンドフィルタ１３１によって除去されない大きさの粒子、例えば粒子径が１μｍ以下程度の粒子（「微粒子」ともいう）からなる塵埃を除去する機能を有する。このメインフィルタ１５１として、好ましくは、微細なグラスファイバー繊維で製造したペーパーを濾紙とし、これをジグザグに折り曲げて濾過面積を上げモジュール化したフィルタ、いわゆる「ＨＥＰＡフィルタ」或いは「高性能フィルタ」と称呼されるフィルタを用いることができる。ＨＥＰＡフィルタのペーパー保持に関する具体的な構成としては、波形のセパレーターを濾紙間に折り込んだセパレーター式や、糸リボン等を折り込んだミニプリーツ式が挙げられる。ここでいうメインフィルタユニット１５０が、本発明における「第３分割ユニット」に相当し、このメインフィルタユニット１５０に収容されたメインフィルタ１５１が、本発明における「集塵フィルタ」及び「高性能フィルタ」に相当する。
【００３２】
チャコールフィルタユニット１７０は、そのユニットハウジング１７０ａ内の吸気流通経路上にチャコールフィルタ１７１を収容したフィルタユニットとして構成される。チャコールフィルタ１７１は、メインフィルタ１５１の後処理としての悪臭除去機能を有するフィルタであり、具体的にはガスに対し吸着性能を有する粒状活性炭或いは繊維状活性炭が充填された活性炭フィルタとして構成される。ここでいうチャコールフィルタユニット１７０が、本発明における「第４分割ユニット」に相当し、このチャコールフィルタユニット１７０に収容されたチャコールフィルタ１７１が、本発明における「集塵フィルタ」及び「活性炭フィルタ」に相当する。
【００３３】
ファンユニット１９０は、そのユニットハウジング１９０ａ内の吸気流通経路上に送風ファン（送風機）１９１を収容するユニットとして構成される。この送風ファン１９１は、吸引ダクト１０２から後述する排気ダクト１０４までの一連の流通経路、すなわち各フィルタユニットに収容されたフィルタに対し、所定流量（所定風量）のガス流れを形成させるための吸引排気用のファンとして構成される。この送風ファン１９１が駆動されることによって吸気されると、吸引ダクト１０２から吸入した集塵対象を含む吸気は、各フィルタユニットに収容されたフィルタによって順次フィルタ処理（集塵処理）されて集塵対象が捕集され、捕集後の清浄空気が排気ダクト１０４から排出される。このとき、送風ファン１９１の上流側（吸気側）に各フィルタユニットを配設している（最下流のフィルタユニットの下流側に送風ファン１９１を配設している）ため、この送風ファン１９１による吸気作用（吸気動作）によってファン上流側からファン下流側へと吸気ガスが引き込まれ、各ユニットの内部の圧力が負圧とされる。また、送風ファン１９１の運転中にて各ユニットの内部の負圧状態が常時維持されることとなる。従って、このような構成によれば、ユニット外部への粉塵の飛散防止を図ることができる。
なお、このファンユニット１９０は、フィルタユニットの組み替えによっては、チャコールフィルタユニット１７０をはじめ、他のフィルタユニットに接続可能とされている。このファンユニット１９０が、本発明における「単一の本体ユニット」に相当する。
【００３４】
また、このファンユニット１９０の下流側には、排気ダクト１０４を有する排気ダクトパネル１０３が装着されるように構成されている。この排気ダクト１０４の吐出部分から処理後の清浄空気が排出される。この排気ダクト１０４は、その吐出部分を自由に曲げたり伸縮させたりすることが可能な構成として、軽量で曲げ操作や伸縮操作が自在とされた蛇腹ダクトとして構成されるのが好ましい。
【００３５】
また、上記プレフィルタユニット１１０、セカンドフィルタユニット１３０、メインフィルタユニット１５０、チャコールフィルタユニット１７０、ファンユニット１９０の各ユニットは、ユニットハウジングの下部に４つのキャリアローラ（「キャスター」ともいう）１０５を備える構成とされる。これら４つのキャリアローラ１０５は、同平面上に配置されたキャリアローラであり、このキャリアローラ１０５が、本発明における「キャリアローラ」に相当する。各ユニットに設けられたキャリアローラ１０５は、当該ユニットを自立可能に支持するとともに、その自立状態にて載置面（「床面」或いは「路面」ともいう）Ｒ上を水平方向に搬送可能な構成とされる。また、各キャリアローラ１０５は、ストッパー機構（図示省略）を備えており、所望の位置において各ユニットの移動を確実に停止させて、作業の円滑化を図ることができるように構成される。本発明においては、キャリアローラが各ユニットを自立可能に支持することが可能であればよく、各ユニットに少なくとも３つのキャリアローラ１０５を設けることができる。
【００３６】
また、上記プレフィルタユニット１１０、セカンドフィルタユニット１３０、メインフィルタユニット１５０、チャコールフィルタユニット１７０、ファンユニット１９０の各ユニットは、互いに隣接するユニット同士が接続手段１０６を介して接続可能とされている。すなわち、各ユニットは、別のユニットに対し接続された状態と、別のユニットに対し分離された状態を形成することが可能な分割式の構造になっている。具体的には、互いに隣接するユニット同士を分割する場合には、接続手段１０６による接続を解除したのち、一方のユニット対し他方のユニットをキャリアローラ１０５による自立状態のまま切り離す。反対に、一方のユニット対し他方のユニットを接続する場合には、一方のユニットの接続面と他方のユニットの接続面をキャリアローラ１０５による自立状態のまま係合させた状態で、接続手段１０６による接続を行う。この接続手段１０６が、本発明における「接続手段」に相当する。
【００３７】
このような分割式の構造によれば、分割されたユニットが軽量化されるとともに、当該ユニットがキャリアローラ１０５を介して搬送可能とされるため、分割や接続に関する作業を簡単且つ短時間で行うことができ、従って当該作業を軽減することが可能となる。また、各ユニットを小口化することによって、トラックなどの運送手段にかかる運送費用の軽減を図ることが可能となる。
【００３８】
なお、接続手段１０６の具体的な構造に関しては、例えば一方のユニット側に取り付けられたリング状部材を、他方のユニット側に取り付けられたフックに引っ掛けて係止する既知の構造、いわゆる「ターンオーバー式」の構造を採用することができる。本実施の形態では、各ユニットの左右の上端部及び下端部が隣接するユニットと接続手段１０６を介して接続される構成になっている。このような構成の接続手段１０６を用いることによって、対向するユニット同士の着脱作業が容易になる。
【００３９】
また、その他の構成として特に図示しないももの、上記プレフィルタユニット１１０、セカンドフィルタユニット１３０、メインフィルタユニット１５０、チャコールフィルタユニット１７０、ファンユニット１９０の各ユニットに運搬用のハンドルが設けられている。また、プレフィルタユニット１１０、セカンドフィルタユニット１３０、メインフィルタユニット１５０、チャコールフィルタユニット１７０の各々には、各ユニットの収容されたフィルタの差圧を検出する差圧計が設けられており、この差圧計によってフィルタ清掃時期などが監視される。
【００４０】
本実施の形態では、集塵装置１００の構成上の特徴として、プレフィルタユニット１１０、セカンドフィルタユニット１３０、メインフィルタユニット１５０、チャコールフィルタユニット１７０、ファンユニット１９０の各ユニットの各ユニットのユニットハウジング外形がいずれも直方体形状ないし立方体形状とされ、且つ各ユニットの上下方向に関するユニット高さ（図１中のユニット高さＨ）、及び左右方向に関するユニット幅（図２中のユニット幅Ｄ）が合致するような同寸法とされている。また、互いに隣接するユニットは、接続手段１０６によって互いに接続された状態において、各々の角部の位置が概ね合致するように構成されている。
【００４１】
このような構成によれば、各ユニットを別のユニットに対し組み付ける組み付け作業、及び別のユニットと分割する分割作業が円滑化される。とりわけ、集塵装置１００の設置場所が狭小地であったり、設置場所までの搬送経路が狭小地であるような場合において、集塵装置１００を各ユニットに容易に分割して搬送し、また設置場所において容易に組み立てるのに効果的である。特に、高さ方向及び幅方向のスペースさえ確保されれば、広さが限られた設置現場においても、各ユニットを水平方向に移動させて組み立て及び分割を行うことができ省スペースでの作業が可能となる。
【００４２】
集塵装置１００を用いる際の各ユニットの組み付け作業及び分割作業に関しては、図３が参照される。図３は、本実施の形態の集塵装置１００における各ユニットの組み付け作業及び分割作業を示す平面図である。
【００４３】
図３に示すように、各フィルタユニット及びファンユニット１９０は、接続手段１０６の接続解除操作の後、載置面Ｒ上を水平方向（図中では左右方向として示す）に離間するように移動されることで、各々分割状態とされる。この状態が、本発明における「分割モード」に相当する。そして、各フィルタユニット及びファンユニット１９０は、キャリアローラ１０５を介して個別に所望の設置場所まで搬送され、載置面Ｒ上を水平方向に近接するように移動されたのち、キャリアローラ１０５によって自立状態のままユニット幅が合致するように配列された上で接続手段１０６の接続操作を経て、所定の組み付け状態とされる。この状態が、本発明における「組む付けモード」に相当する。なお、この組み付け操作に関しては、一方のユニットの背面側に設けられた凹み状の位置決め部材１０７に、他方のユニットの前面側の４隅（角部）を嵌め込むことによって、互いの位置決めが容易とされる構成になっている。
【００４４】
なお、集塵装置に使用にあたっては、予め準備された複数のフィルタユニットの中から集塵対象の種類に応じて所定数のフィルタユニットを選択する。集塵装置１００は、集塵対象としてダイオキシン類粉塵を想定しており、プレフィルタユニット１１０、セカンドフィルタユニット１３０、メインフィルタユニット１５０、チャコールフィルタユニット１７０の計４種類のフィルタユニットが選択される。これらのフィルタユニットを組み合わせて使用することによって、ダイオキシン類粉塵を集塵対象としてフィルタ処理するのに効果的な集塵能力の高い集塵システムが提供される。
【００４５】
また、本実施の形態では、集塵装置１００の構成上の更なる特徴として、上述の分割式の構造を用いることによって、ファンユニット１９０に対し、他のフィルタユニットの組み替えが可能とされる。このフィルタユニットの組み替えに際しては、集塵対象の種類に応じて、ファンユニット１９０に組み付けられるフィルタユニット（フィルタ）の種類及び数を選択することができる。この組み替えに関し、各フィルタユニットは、ユニット高さ及びユニット幅が互いに合致するとともに、各フィルタユニットがキャリアローラ１０５を介して自立可能であり、且つその自立状態にて載置面Ｒ上を水平方向に搬送可能とされた構成であるため、組み替え作業が容易とされる。
【００４６】
具体的には、集塵対象がアスベスト粉塵（石綿）の場合には、図４及び図５に示すような組み付け構造の集塵装置２００を用いることができる。ここで、図４は別の実施の形態の集塵装置２００の概略構成を示す側面図であり、図５は、図４中の集塵装置２００の平面図である。図４及び図５に示すように、アスベスト粉塵の集塵に用いる集塵装置２００は、集塵装置１００のフィルタユニットうち、チャコールフィルタユニット１７０のみを省略する組み替えがなされた構成とされる。この集塵装置２００は、フィルタ処理に関する上流から順に、プレフィルタユニット１１０、セカンドフィルタユニット１３０、メインフィルタユニット１５０が配置され、更にメインフィルタユニット１５０の下流側にファンユニット１９０が配置される構成になっている。すなわち、本実施の形態の集塵装置２００では、プレフィルタユニット１１０、セカンドフィルタユニット１３０、メインフィルタユニット１５０の計３種類のフィルタユニットが組み付けられたフィルタユニット組み付け体が用いられている。当該フィルタユニット組み付け体が、本発明における「フィルタユニット」に相当し、当該フィルタユニット組み付け体を構成する各フィルタユニットが、本発明における「分割ユニット」に相当する。この集塵装置２００は、集塵対象としてアスベスト粉塵を想定しており、プレフィルタユニット１１０、セカンドフィルタユニット１３０、メインフィルタユニット１５０を組み合わせて使用することによって、アスベスト粉塵を集塵対象としてフィルタ処理するのに効果的な集塵能力の高い集塵システムが提供される。
【００４７】
また、集塵対象が塗装ミストの場合には、図６及び図７に示すような組み付け構造の集塵装置３００を用いることができる。図６は別の実施の形態の集塵装置３００の概略構成を示す側面図であり、図７は、図６中の集塵装置３００の平面図である。図６及び図７に示すように、塗装ミストの集塵に用いる集塵装置３００は、集塵装置１００のフィルタユニットうち、メインフィルタユニット１５０及びチャコールフィルタユニット１７０を省略する組み替えがなされた構成とされる。この集塵装置３００は、フィルタ処理に関する上流から順に、プレフィルタユニット１１０、セカンドフィルタユニット１３０が配置され、更にセカンドフィルタユニット１３０の下流側にファンユニット１９０が配置される構成になっている。すなわち、本実施の形態の集塵装置３００では、プレフィルタユニット１１０及びセカンドフィルタユニット１３０の計２種類のフィルタユニットが組み付けられたフィルタユニット組み付け体が用いられている。当該フィルタユニット組み付け体が、本発明における「フィルタユニット」に相当し、当該フィルタユニット組み付け体を構成する各フィルタユニットが、本発明における「分割ユニット」に相当する。この集塵装置３００は、集塵対象として塗装ミストを想定しており、プレフィルタユニット１１０及びセカンドフィルタユニット１３０を組み合わせて使用することによって、塗装ミストを集塵対象としてフィルタ処理するのに効果的な集塵能力の高い集塵システムが提供される。
【００４８】
また、本実施の形態では、集塵装置１００の構成上の更なる特徴として、各フィルタユニットに収容されたフィルタの清掃作業を容易とする工夫が施されている。フィルタの清掃作業に関しては、図８が参照される。ここで、図８には、本実施の形態の集塵装置１００に関し、メインフィルタユニット１５０を、ユニットハウジング１５０ａの前面１５２及び背面１５３から視た様子を示す斜視図である。図８中の左側に実線で示す図が、メインフィルタユニット１５０をユニットハウジング１５０ａの前面１５２側から視た斜視図であり、図８中の右側に二点鎖線で示す図が、図８中の左側のメインフィルタユニット１５０を回転させてユニットハウジング１５０ａの背面１５３側から視た斜視図である。
【００４９】
図８に示すように、メインフィルタユニット１５０のユニットハウジング１５０ａは、集塵フィルタに吸気が流通する流通経路方向に開口部を有する枠形状とされる。具体的には、前面１５２に開口部１５２ａを有し、また背面１５３に開口部１５３ａを有する枠状体とされる。これら開口部１５２ａ及び開口部１５３ａは、いずれもユニットハウジング１５０ａの外形に近い大きさの開口面積を有する開口部分とされる。開口部１５２ａは、ユニットハウジング１５０ａの吸気流通経路の入口となり、開口部１５３ａは、ユニットハウジング１５０ａの吸気流通経路の出口となる。従って、前述の組み付けモードにおいては、セカンドフィルタユニット１３０及びチャコールフィルタユニット１７０との接続によって開口部１５２ａ及び開口部１５３ａがユニット外部に対し閉鎖され、前述の分割モードにおいては、セカンドフィルタユニット１３０及びチャコールフィルタユニット１７０との分割によってメインフィルタ１５１が開口部１５２ａ及び開口部１５３ａを通じてユニット外部に露出する構成とされる。これら開口部１５２ａ及び開口部１５３ａが、本発明における「開口部」に相当する。
【００５０】
このような構成によれば、分割状態のメインフィルタユニット１５０において、大きく開口した開口部１５２ａ及び開口部１５３ａを通じて内部点検作業やフィルタ交換作業を容易に行うことが可能となる。また、分割状態のメインフィルタユニット１５０において、メインフィルタ１５１に対し清掃用のエアーノズル等を、大きく開口した開口部１５２ａ及び開口部１５３ａを通じて容易に作用させることが可能となる。これにより、分割状態のメインフィルタユニット１５０の清掃作業に関し、ユニットハウジング１５０ａからメインフィルタ１５１を取り出すことなく、円滑且つ迅速にフィルタやハウジング内部の清掃作業を行うことが可能となる。なお、特に図示しないものの、本構成は、メインフィルタユニット１５０以外の他のフィルタユニットである、プレフィルタユニット１１０、セカンドフィルタユニット１３０及びチャコールフィルタユニット１７０についても同様に適用されている。
【００５１】
ところで、ダイオキシン類粉塵やアスベスト粉塵を取り扱う集塵装置にあっては、ダイオキシン類ばく露防止対策要綱や石綿障害予防規則に基づいて、一旦集塵フィルタに付着した付着物を除去した後でなければ使用後の集塵装置の持ち出しが禁止されており、集塵フィルタの清掃作業を作業場にて行う要請がある。そこで、本実施の形態の如く清掃作業を可能とした構成を採用することによって、集塵フィルタ取外しやユニット内の清掃作業を作業場にて円滑且つ迅速に行うことができるところ、本構成はダイオキシン類粉塵やアスベスト粉塵を取り扱う前述の集塵装置１００や集塵装置２００において特に効果的とされる。
【００５２】
（他の実施の形態）
なお、本発明は、上記実施の形態のみに限定されるものではなく、必要に応じて種々の変更や修正が可能である。
【００５３】
上記実施の形態では、各フィルタユニットに単一のフィルタを収容する場合について記載したが、本発明では、単一のフィルタユニットに複数のフィルタを収容する構成を採用することもできる。本構成の具体例に関しては、図９が参照される。図９は、別の実施の形態の集塵装置４００の概略構成を示す側面図である。
図９に示す集塵装置４００は、図１に示す集塵装置１００と同様に、塵埃等であるダイオキシン類粉塵を捕集・除去する装置であって、集塵装置１００の変更例とされる。この集塵装置４００では、集塵装置１００においてプレフィルタユニット１１０、セカンドフィルタユニット１３０、メインフィルタユニット１５０に相当するユニットに代えて単一のフィルタユニット４１０を用いる。この単一のフィルタユニット４１０では、ユニットハウジング４１０ａ内の吸気流通経路上に、プレフィルタ１１１、セカンドフィルタ１３１、メインフィルタ１５１が順次配置された構成とされる。また、更なる変更例として、単一のフィルタユニットにプレフィルタ１１１及びセカンドフィルタ１３１を収容した構成や、単一のフィルタユニットにセカンドフィルタ１３１及びメインフィルタ１５１を収容した構成を採用することもできる。
【００５４】
また、上記実施の形態では、集塵装置の集塵対象をダイオキシン類粉塵、アスベスト粉塵（石綿）、塗装ミストとした場合について記載したが、本発明の集塵装置は、フィルタユニット（フィルタ）の種類及び数を適宜選択することによって、本実施の形態の集塵対象以外の他の集塵対象に対応することもできる。他の集塵対象に関しては、例えば鋳物粉塵やサンド粉塵の集塵、溶接ヒュームや研磨粉塵（発火性粉塵）の集塵、悪臭ガス成分や有毒ガス成分の除去に適用可能である。鋳物粉塵やサンド粉塵の集塵に関しては、粉塵を捕集する機能に加えて、捕集後の粉塵を分離する機能を有するダストセパレータを用いることができる。溶接ヒュームや研磨粉塵の集塵に関しては、細い金属線をメリヤス状に編み、これを２枚１組として交互に重ね合わせて構成されやフィルタ、いわゆる「デミスターフィルタ」と称呼されるフィルタを用いることができる。悪臭ガス成分や有毒ガス成分の除去に関しては、対象ガスに対する吸着能力を有する吸着剤が充填されたフィルタを用いることができる。また、通常の掃除用として、紙パックフィルタが充填された構成を採用することもできる。
【００５５】
また、上記実施の形態では、集塵フィルタと送風ファンを組み合わせた集塵機構を搭載する集塵装置について記載したが、本発明の集塵装置は、集塵フィルタと送風ファンを組み合わせた集塵機構のみを搭載する構成であってもよいし、或いはこの集塵機構以外の別の集塵機構が搭載された構成であってもよい。また、本発明において、集塵フィルタと送風ファンの相対的な配置に関しては必要に応じて種々変更可能であるが、ユニット外部への粉塵の飛散防止を図る構成を実現するためには、上記実施の形態の集塵装置１００〜４００の構成のように、送風ファンの上流側（吸気側）に各フィルタユニットを配設（最下流のフィルタユニットの下流側に送風ファンを配設）した構成を採用するのが好ましい。
【図面の簡単な説明】
【００５６】
【図１】本実施の形態の集塵装置１００の概略構成を示す側面図である。
【図２】図１中の集塵装置１００の平面図である。
【図３】本実施の形態の集塵装置１００における各ユニットの組み付け作業及び分割作業を示す平面図である。
【図４】別の実施の形態の集塵装置２００の概略構成を示す側面図である。
【図５】図４中の集塵装置２００の平面図である。
【図６】別の実施の形態の集塵装置３００の概略構成を示す側面図である。
【図７】図６中の集塵装置３００の平面図である。
【図８】本実施の形態の集塵装置１００に関し、メインフィルタユニット１５０を、ユニットハウジング１５０ａの前面１５２及び背面１５３から視た様子を示す斜視図である。
【図９】別の実施の形態の集塵装置４００の概略構成を示す側面図である。
【符号の説明】
【００５７】
１００，２００，３００，４００  集塵装置
１０１  吸引ダクトパネル
１０２  吸引ダクト
１０３  排気ダクトパネル
１０４  排気ダクト
１０５  キャリアローラ
１０６  接続手段
１０７  位置決め部材
１１０  プレフィルタユニット
１１１  プレフィルタ
１３０  セカンドフィルタユニット
１３１  セカンドフィルタ
１５０  メインフィルタユニット
１５１  メインフィルタ
１７０  チャコールフィルタユニット
１７１  チャコールフィルタ
１９０  ファンユニット
１９１  送風ファン
【図１】
2007289797.tif 000003
【図２】
2007289797.tif 000004
【図３】
2007289797.tif 000005
【図４】
2007289797.tif 000006
【図５】
2007289797.tif 000007
【図６】
2007289797.tif 000008
【図７】
2007289797.tif 000009
【図８】
2007289797.tif 000010
【図９】
2007289797.tif 000011